(57)【要約】【課題】  電源線を媒介とする非ブロードバンド信号伝送方法及び装置の提供。【解決手段】  多種の信号（音声、画像、デジタルデータ等）を周波数分割後に線形代数の数学方式で混合処理して混合変形信号となし、続いて非ブロードバンドの状況で該混合変形信号を一般の電源伝送線（例えばＡＣ電源線）或いは任意の伝送媒体に結合させて伝送する。その特徴は、時間セクションで信号周波数を分割し、これにより選択した信号周波数がいずれも要求された低周波数幅範囲にあり且つ線形独立を呈するようにする。【選択図】        図１
2006074480.tif 000002
【特許請求の範囲】
【請求項１】
発射側と受信側の間の電源線上でｍ個のソース信号Ｓi （ｔ），ｉ＝１，２，．．．，ｍを送受する電源線を媒介とする非ブロードバンド信号伝送方法であり、この方法は、
発射側にあってｍ個のソース信号Ｓi （ｔ）を処理して混合変形信号ＳＭ（ｔ）を発生し、
該混合変形信号ＳＭ（ｔ）を特定周波数幅で電源線に結合させて伝送し、
電源線からの該混合変形信号ＳＭ（ｔ）に結合し、
該受信側が該混合変形信号ＳＭ（ｔ）をサンプリングして選択的に各ソース信号Ｓi （ｔ）に還元し、そのうち発射側と受信側間の信号伝送は、
発射側にあって、ｍ個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取り、一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で線形独立となし、Ｓi （ｔ）の変形関数
【数１】
2006074480.tif 000011
を構築し、更に全ての変形関数Ｓi 0 （ｔ）を総加して混合変形信号
【数２】
2006074480.tif 000012
を得て、
この混合変形信号ＳＭ（ｔ）を電源線上の特定周波数幅上で伝送し、
受信側にあって、混合変形信号ＳＭ（ｔ）よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させ、係数関数i ａj （ｔ）は〔Ｔ0 ，Ｔ1 〕中で相互に線形独立の特性を有することから、Ｓi （ｔj ）を未知数とするｍｘｎ個の独立方程式を構築し、連立方程式を解く方法を利用しｍｘｎ個の独立方程式よりＳi （ｔj ）を解き、各ソース信号Ｓi （ｔ）に還元することを特徴とする、電源線を媒介とする非ブロードバンド信号伝送方法。
【請求項２】
請求項１記載の電源線を媒介とする非ブロードバンド信号伝送方法において、ソース信号Ｓi （ｔ）は文字、音声或いは画像データとされることを特徴とする、電源線を媒介とする非ブロードバンド信号伝送方法。
【請求項３】
請求項１記載の電源線を媒介とする非ブロードバンド信号伝送方法において、特定周波数幅が４ＫＨｚとされたことを特徴とする、電源線を媒介とする非ブロードバンド信号伝送方法。
【請求項４】
請求項１記載の電源線を媒介とする非ブロードバンド信号伝送方法を用いて発射側と受信側の間の電源線上でｍ個のソース信号を送受することを特徴とする、電源線を媒介とする非ブロードバンド信号伝送装置。
【請求項５】
発射側と受信側の間の電源線上でｍ個のソース信号Ｓi （ｔ），ｉ＝１，２，．．．，ｍを送受する電源線を媒介とする非ブロードバンド信号伝送装置であり、この装置は、
発射側にあってｍ個のソース信号Ｓi （ｔ）を処理して混合変形信号ＳＭ（ｔ）を発生する発射信号処理器と、
該混合変形信号ＳＭ（ｔ）を特定周波数幅で電源線に結合させる発射インタフェース回路と、
非ブロードバンド下で該混合変形信号ＳＭ（ｔ）を伝送する電源線と、
電源線より該特定周波数で該混合変形信号ＳＭ（ｔ）に結合する受信インタフェース回路と、
受信側にあって該混合変形信号ＳＭ（ｔ）をサンプリングして選択的に各ソース信号Ｓi （ｔ）に還元する受信信号処理器と、
を具え、そのうち発射信号処理器と受信信号処理器の間の信号伝送は、
電源線からの該混合変形信号ＳＭ（ｔ）に結合し、
該受信側が該混合変形信号ＳＭ（ｔ）をサンプリングして選択的に各ソース信号Ｓi （ｔ）に還元し、そのうち発射側と受信側間の信号伝送は、
発射側にあって、ｍ個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取り、一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で相互に線形独立となし、Ｓi （ｔ）の変形関数
【数３】
2006074480.tif 000013
を構築し、更に全ての変形関数Ｓi 0 （ｔ）を総加して混合変形信号
【数４】
2006074480.tif 000014
を得て、
この混合変形信号ＳＭ（ｔ）を電源線上の特定周波数幅上で伝送し、
受信側にあって、混合変形信号ＳＭ（ｔ）よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させ、係数関数i ａj （ｔ）は〔Ｔ0 ，Ｔ1 〕中で相互に線形独立の特性を有することから、Ｓi （ｔj ）を未知数とするｍｘｎ個の独立方程式を構築し、連立方程式を解く方法を利用しｍｘｎ個の独立方程式よりＳi （ｔj ）を解き、各ソース信号Ｓi （ｔ）に還元することを特徴とする、電源線を媒介とする非ブロードバンド信号伝送装置。
【請求項６】
請求項５記載の電源線を媒介とする非ブロードバンド信号伝送装置において、ソース信号Ｓi （ｔ）は文字、音声或いは画像データとされることを特徴とする、電源線を媒介とする非ブロードバンド信号伝送装置。
【請求項７】
請求項５記載の電源線を媒介とする非ブロードバンド信号伝送装置において、発射信号処理器がｍ組の信号変形装置と信号分離装置を具え、それぞれｍ個の音声信号を送受し、及び、該発射信号処理器は信号混合回路を具えてｍ個の変形信号を総加して混合変形信号となすことを特徴とする、電源線を媒介とする非ブロードバンド信号伝送装置。
【請求項８】
請求項５記載の電源線を媒介とする非ブロードバンド信号伝送装置において、発射信号処理器と発射インタフェース回路が一つに結合されたことを特徴とする、電源線を媒介とする非ブロードバンド信号伝送装置。
【請求項９】
請求項５記載の電源線を媒介とする非ブロードバンド信号伝送装置において、受信信号処理器がｍ組の信号変形装置と信号分離装置を具え、それぞれｍ個の音声信号を還元し、及び、該受信信号処理器は更にｍ組の信号変形装置と信号分離装置の一つを選択するセレクタと、変形信号を混合して混合変形信号となす信号混合回路を具えたことを特徴とする、電源線を媒介とする非ブロードバンド信号伝送装置。
【請求項１０】
請求項５記載の電源線を媒介とする非ブロードバンド信号伝送装置において、受信信号処理器と受信インタフェース回路が一つに結合されたことを特徴とする、電源線を媒介とする非ブロードバンド信号伝送装置。
【請求項１１】
請求項５記載の電源線を媒介とする非ブロードバンド信号伝送装置において、電源線が交流電源伝送線とされたことを特徴とする、電源線を媒介とする非ブロードバンド信号伝送装置。
【請求項１２】
請求項５記載の電源線を媒介とする非ブロードバンド信号伝送装置において、特定周波数幅が４ＫＨｚとされたことを特徴とする、電源線を媒介とする非ブロードバンド信号伝送装置。
【発明の詳細な説明】
【技術分野】
【０００１】
本発明は一種の信号伝送方法と装置に係り、更に詳しくは、多種信号の混合と分離技術を基礎とした電源線を媒介とする非ブロードバンド信号伝送方法及び装置に関する。
【背景技術】
【０００２】
電源伝送線上に搬送波信号を結合させて装置間通信の信号伝送を行なうことは、すでにある家電制御システムに応用されている。ただし電源伝送線の先天的な高雑音及び信号が減衰しやすい問題は通信品質に影響を与えるため、多種類の信号を伝送する時にいかに信号間の干渉問題を免除するか、及び大量信号伝送時にいかに信号伝送量と伝送速度を増すかが電源伝送線を媒介とする信号伝送の技術の克服すべき問題となっている。
【０００３】
従来の技術によると、特許文献１には電源線搬送波通信装置（ｐｏｗｅｒ  ｌｉｎｅ
ｃａｒｒｉｅｒ  ｃｏｍｍｕｎｉｃａｔｉｏｎ  ｄｅｖｉｃｅ）が記載され、それは高速モデムと電源線搬送波装置の基本ユニット（ｂａｓｅ  ｕｎｉｔ）を組み合わせるか或いははめ込み、信号減衰時のデータ伝送速度の減少を緩和するのに用いている。該電源線搬送波通信装置は電源線搬送波拡張ユニット（ｐｏｗｅｒ  ｌｉｎｅ  ｃａｒｒｉｅｒ  ｅｘｔｅｎｓｉｏｎ  ｕｎｉｔ）と結合されて運転し、ユーザーの電子設備とデータ伝送を行なう時、該電源線搬送波拡張ユニットが電子設備に標準の電話線と交流電源線を通して情報の受信と伝送を行なう。しかし、電源線搬送波通信で同時に多種類の信号を伝送するのは高度の複雑性があり、多種類の信号の混合と分離演算の十分な処理という基礎がなければ電源線を媒介とする信号伝送方法と装置を実施することはできない。
【０００４】
本発明の好ましい実施例によると、電源線を媒介とする非ブロードバンド信号伝送方法及び装置は、特許文献２或いは特許文献３に記載の技術を基礎としている。
【０００５】
【特許文献１】世界特許第９９／４８２１８号明細書
【特許文献２】台湾特許第１１７０４８号明細書
【特許文献３】米国特許第６，４４２，２２４号明細書
【発明の開示】
【発明が解決しようとする課題】
【０００６】
本発明の目的は、電源線を媒介として非ブロードバンド状況下で同時に多種類の信号を伝送できる方法を提供することにある。
【０００７】
本発明の別の目的は、電源線を媒介として非ブロードバンド状況下で同時に多種類の信号を伝送できる装置を提供することにある。
【０００８】
本発明の別の目的は、信号の伝送速度を高めて混み合いを防止できる電源線を媒介として同時に多種類の信号を伝送する方法を提供することにある。
【０００９】
本発明の別の目的は、信号の伝送速度を高めて混み合いを防止できる電源線を媒介として同時に多種類の信号を伝送する装置を提供することにある。
【００１０】
本発明の別の目的は、信号干渉問題を免除できる信号伝送方法を提供することにある。
【００１１】
本発明の別の目的は、信号干渉問題を免除できる信号伝送装置を提供することにある。
【００１２】
本発明の別の目的は、配線を免除できコスト節約できる信号伝送方法を提供することにある。
【００１３】
本発明の別の目的は、配線を免除できコスト節約できる信号伝送装置を提供することにある。
【課題を解決するための手段】
【００１４】
請求項１の発明は、発射側と受信側の間の電源線上でｍ個のソース信号Ｓi （ｔ），ｉ＝１，２，．．．，ｍを送受する電源線を媒介とする非ブロードバンド信号伝送方法であり、この方法は、
発射側にあってｍ個のソース信号Ｓi （ｔ）を処理して混合変形信号ＳＭ（ｔ）を発生し、
該混合変形信号ＳＭ（ｔ）を特定周波数幅で電源線に結合させて伝送し、
電源線からの該混合変形信号ＳＭ（ｔ）に結合し、
該受信側が該混合変形信号ＳＭ（ｔ）をサンプリングして選択的に各ソース信号Ｓi （ｔ）に還元し、そのうち発射側と受信側間の信号伝送は、
発射側にあって、ｍ個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取り、一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で線形独立となし、Ｓi （ｔ）の変形関数
【数５】
2006074480.tif 000003
を構築し、更に全ての変形関数Ｓi 0 （ｔ）を総加して混合変形信号
【数６】
2006074480.tif 000004
を得て、
この混合変形信号ＳＭ（ｔ）を電源線上の特定周波数幅上で伝送し、
受信側にあって、混合変形信号ＳＭ（ｔ）よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させ、係数関数i ａj （ｔ）は〔Ｔ0 ，Ｔ1 〕中で相互に線形独立の特性を有することから、Ｓi （ｔj ）を未知数とするｍｘｎ個の独立方程式を構築し、連立方程式を解く方法を利用しｍｘｎ個の独立方程式よりＳi （ｔj ）を解き、各ソース信号Ｓi （ｔ）に還元することを特徴とする、電源線を媒介とする非ブロードバンド信号伝送方法としている。
請求項２の発明は、請求項１記載の電源線を媒介とする非ブロードバンド信号伝送方法において、ソース信号Ｓi （ｔ）は文字、音声或いは画像データとされることを特徴とする、電源線を媒介とする非ブロードバンド信号伝送方法としている。
請求項３の発明は、請求項１記載の電源線を媒介とする非ブロードバンド信号伝送方法において、特定周波数幅が４ＫＨｚとされたことを特徴とする、電源線を媒介とする非ブロードバンド信号伝送方法としている。
請求項４の発明は、請求項１記載の電源線を媒介とする非ブロードバンド信号伝送方法を用いて発射側と受信側の間の電源線上でｍ個のソース信号を送受することを特徴とする、電源線を媒介とする非ブロードバンド信号伝送装置としている。
請求項５の発明は、発射側と受信側の間の電源線上でｍ個のソース信号Ｓi （ｔ），ｉ＝１，２，．．．，ｍを送受する電源線を媒介とする非ブロードバンド信号伝送装置であり、この装置は、
発射側にあってｍ個のソース信号Ｓi （ｔ）を処理して混合変形信号ＳＭ（ｔ）を発生する発射信号処理器と、
該混合変形信号ＳＭ（ｔ）を特定周波数幅で電源線に結合させる発射インタフェース回路と、
非ブロードバンド下で該混合変形信号ＳＭ（ｔ）を伝送する電源線と、
電源線より該特定周波数で該混合変形信号ＳＭ（ｔ）に結合する受信インタフェース回路と、
受信側にあって該混合変形信号ＳＭ（ｔ）をサンプリングして選択的に各ソース信号Ｓi （ｔ）に還元する受信信号処理器と、
を具え、そのうち発射信号処理器と受信信号処理器の間の信号伝送は、
電源線からの該混合変形信号ＳＭ（ｔ）に結合し、
該受信側が該混合変形信号ＳＭ（ｔ）をサンプリングして選択的に各ソース信号Ｓi （ｔ）に還元し、そのうち発射側と受信側間の信号伝送は、
発射側にあって、ｍ個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取り、一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で相互に線形独立となし、Ｓi （ｔ）の変形関数
【数７】
2006074480.tif 000005
を構築し、更に全ての変形関数Ｓi 0 （ｔ）を総加して混合変形信号
【数８】
2006074480.tif 000006
を得て、
この混合変形信号ＳＭ（ｔ）を電源線上の特定周波数幅上で伝送し、
受信側にあって、混合変形信号ＳＭ（ｔ）よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させ、係数関数i ａj （ｔ）は〔Ｔ0 ，Ｔ1 〕中で相互に線形独立の特性を有することから、Ｓi （ｔj ）を未知数とするｍｘｎ個の独立方程式を構築し、連立方程式を解く方法を利用しｍｘｎ個の独立方程式よりＳi （ｔj ）を解き、各ソース信号Ｓi （ｔ）に還元することを特徴とする、電源線を媒介とする非ブロードバンド信号伝送装置としている。
請求項６の発明は、請求項５記載の電源線を媒介とする非ブロードバンド信号伝送装置において、ソース信号Ｓi （ｔ）は文字、音声或いは画像データとされることを特徴とする、電源線を媒介とする非ブロードバンド信号伝送装置としている。
請求項７の発明は、請求項５記載の電源線を媒介とする非ブロードバンド信号伝送装置において、発射信号処理器がｍ組の信号変形装置と信号分離装置を具え、それぞれｍ個の音声信号を送受し、及び、該発射信号処理器は信号混合回路を具えてｍ個の変形信号を総加して混合変形信号となすことを特徴とする、電源線を媒介とする非ブロードバンド信号伝送装置としている。
請求項８の発明は、請求項５記載の電源線を媒介とする非ブロードバンド信号伝送装置において、発射信号処理器と発射インタフェース回路が一つに結合されたことを特徴とする、電源線を媒介とする非ブロードバンド信号伝送装置としている。
請求項９の発明は、請求項５記載の電源線を媒介とする非ブロードバンド信号伝送装置において、受信信号処理器がｍ組の信号変形装置と信号分離装置を具え、それぞれｍ個の音声信号を還元し、及び、該受信信号処理器は更にｍ組の信号変形装置と信号分離装置の一つを選択するセレクタと、変形信号を混合して混合変形信号となす信号混合回路を具えたことを特徴とする、電源線を媒介とする非ブロードバンド信号伝送装置としている。
請求項１０の発明は、請求項５記載の電源線を媒介とする非ブロードバンド信号伝送装置において、受信信号処理器と受信インタフェース回路が一つに結合されたことを特徴とする、電源線を媒介とする非ブロードバンド信号伝送装置としている。
請求項１１の発明は、請求項５記載の電源線を媒介とする非ブロードバンド信号伝送装置において、電源線が交流電源伝送線とされたことを特徴とする、電源線を媒介とする非ブロードバンド信号伝送装置としている。
請求項１２の発明は、請求項５記載の電源線を媒介とする非ブロードバンド信号伝送装置において、特定周波数幅が４ＫＨｚとされたことを特徴とする、電源線を媒介とする非ブロードバンド信号伝送装置としている。
【発明の効果】
【００１５】
本発明の好ましい実施例によると、電源線を媒介とする非ブロードバンド信号伝送方法及び装置は、前述の特許文献２或いは特許文献３に記載の技術を基礎とし、多種類（無限に多種類に達しうる）の信号（音声、画像、データ等）を周波数分割した後、線形代数の数学方式で混合処理して混合変形信号となし、続いて非ブロードバンドの状況で該混合変形信号を一般の電源伝送線（例えばＡＣ電源線）或いは任意の伝送媒体に結合させて伝送する。その特徴は、時間セクションで信号周波数を分割し、これにより選択した信号周波数がいずれも要求された低周波数幅範囲にあり且つ線形独立を呈するようにし、これにより同時に低周波数幅の総合混合信号を伝送する時には、一般チャネルにより伝送し、信号伝送量を増加させず、伝送速度を高め、ネットワーク混雑の問題を免除できるようにする。
【００１６】
このほか、周波数幅が小さいことで、一般の電源線において単一チャンネルで大量の信号を伝送する時、信号間の干渉問題を免除できる。電源線はもともと高雑音と信号が減衰しやすい問題を有しているが、本発明は搬送波方式を利用して単一の低周波数幅の混成変形信号を運び、最後にろ波器で搬送波を抽出し、これらの多種信号に分離還元することで問題を解決している。これにより、本発明の方法と装置は多種信号を電源線を媒介として伝送でき、産業上の利用性、新規性及び進歩性を有する。
【発明を実施するための最良の形態】
【００１７】
本発明の実施例によると、電源線を媒介とする非ブロードバンド信号伝送装置は、多種信号の混合と分離技術に基づき、発射側と受信側の間の電源線上で複数のソース信号を送受信でき、これらソース信号は音声信号、画像信号、文字データ等のデータ信号とされ得て、並びに混合処理され低周波数幅の混合変形信号とされ、非ブロードバンドの状況下でこの混合変形信号が一般の電源伝送線（例えばＡＣ電源線）或いは任意の伝送媒体に結合されて同時に伝送される。
【００１８】
該発射側は発射信号処理器とインタフェース回路を具え、該発射信号処理器は該インタフェース回路を介して電源線に結合され、これにより該発射信号処理器の低周波数幅の混合変形信号が該電源線に結合される。該発射信号処理器は複数のソース信号を送受信し、且つ各ソース信号の発送と受信に対してそれぞれ信号変形装置と信号分離装置を利用して処理した後、多種類の変形信号を線形独立特性の係数関数により混合総加して低周波数幅の混合変形信号となす。
【００１９】
各受信側は受信信号処理器とインタフェース回路を具え、該受信信号処理器は受信側のインタフェース回路を介して電源線に結合され、該受信信号処理器は該電源線からの低周波数幅の混合変形信号に結合される。受信信号処理器は複数組の信号変形装置と信号分離装置及び一つのセレクタを具えている。該受信信号処理器は電源線上の混合変形信号に結合され、更にセレクタでそのうち一組の信号変形装置と信号分離装置を選択して複数のソース信号から対応するものを受け取り、選択した信号変形装置と信号分離装置が線形独立特性の係数関数により独立方程式を構築し、多種類の変形信号を未知数として連立方程式を解き、これにより対応するソース信号に還元し、これにより発射側と受信側に双方向で信号を送受させる。以下に更に説明すると、発射信号処理器と受信信号処理器の間の多種類ソース信号の混合方法と分離方法は前述の特許文献２或いは特許文献３に記載の技術を基礎とする。
【００２０】
該信号変形装置の実施する信号混合方法は以下を包含する。
まずｍ（ｍは正の整数）個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取る。
次に一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で線形独立となす。
最後に、Ｓi （ｔ）の変形関数
【数９】
2006074480.tif 000007
を構築し、更に全ての変形関数Ｓi 0 （ｔ）を総加して
【数１０】
2006074480.tif 000008
を得る。こうして、ＳＭ（ｔ）を混合後の特定周波数幅の混合変形信号とすることができる。
【００２１】
該信号分離装置の実施する信号分離方法は以下を包含する。
変形混合信号ＳＭ（ｔ）中よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させる。
係数関数i ａj （ｔ）は〔Ｔ0 ，Ｔ1 〕中で相互に線形独立の特性を形成することから、Ｓi （ｔj ）を未知数とするｍｘｎ個の独立方程式を構築する。
連立方程式を解く方法を利用しｍｘｎ個の独立方程式よりＳi （ｔj ）を解き、各ソース信号Ｓi （ｔ）に還元する。
【００２２】
本発明の電源線を媒介とする非ブロードバンド信号伝送装置は、電源線を媒介とする非ブロードバンド信号伝送方法を以て、発射側と受信側の間の電源線上でｍ個のソース信号Ｓi （ｔ），ｉ＝１，２，．．．，ｍを送受し、この方法は、
発射側でｍ個のソース信号Ｓi （ｔ）を処理して混合変形信号ＳＭ（ｔ）を発生し、
該混合変形信号ＳＭ（ｔ）を特定周波数幅で電源線に結合させて伝送し、
電源線からの該混合変形信号ＳＭ（ｔ）に結合し、
該受信側が該混合変形信号ＳＭ（ｔ）をサンプリングして選択的に各ソース信号Ｓi （ｔ）に還元する。そのうち発射側と受信側間の信号伝送の特徴は以下を包含する。
発射側にあって、ｍ個の〔Ｔ0 ，Ｔ1 〕中のソース信号Ｓi （ｔ）（ｔ∈〔Ｔ0 ，Ｔ1 〕；Ｔ0 ，Ｔ1 ∈Ｒ；ｔは時間パラメータ）よりｎ個のサンプルＳi （ｔj ）（ｉ＝１，２，．．．，ｍ；ｊ＝１，２，．．．，ｎ）を切り取り、一つの係数関数集合｛i ａj （ｔ），ｉ＝１，２，．．．，ｍ；ｊ＝１，２，．．．，ｎ｝を選択し、係数関数i ａj （ｔ）を〔Ｔ0 ，Ｔ1 〕中で線形独立となし、Ｓi （ｔ）の変形関数
【数１１】
2006074480.tif 000009
を構築し、更に全ての変形関数Ｓi 0 （ｔ）を総加して混合変形信号
【数１２】
2006074480.tif 000010
を得る。
この混合変形信号ＳＭ（ｔ）は電源線上の特定周波数幅上で伝送される。
受信側では、混合変形信号ＳＭ（ｔ）よりｍｘｎ個のサンプルＳi （ｔj ）（ｉ＝１，２，．．．，ｍ；ｊ＝１，２，．．．，ｎ）を切り取り、且つ各サンプルＳi （ｔj ）を係数関数i ａj （ｔ）に対応させ、係数関数i ａj （ｔ）は〔Ｔ0 ，Ｔ1 〕中で相互に線形独立の特性を有することから、Ｓi （ｔj ）を未知数とするｍｘｎ個の独立方程式を構築し、連立方程式を解く方法を利用しｍｘｎ個の独立方程式よりＳi （ｔj ）を解き、各ソース信号Ｓi （ｔ）に還元する。
【００２３】
図１は本発明の実施例の音声信号伝送の構造図である。この実施例中、本発明の電源線を媒介とする非ブロードバンド信号伝送装置は上述の多種信号の混合と分離技術に基づき発射側と複数の受信側の間の電源線上で複数の音声信号を送受し、且つ発射側と受信側の間の信号伝送は混合処理して低周波数幅の混合変形信号となし、特定の低周波数幅をもってインタフェース回路より該混合変形信号を一般の電源伝送線（例えばＡＣ電源線）或いは任意の伝送媒体に結合させて伝送し、そのうち、特定周波数幅は好ましくは４ＫＨｚとする。
【００２４】
この実施例中、発射側は信号混合と分離装置を具え、ｍ個の音声信号を送受するほか、インタフェース回路を具えて特定の低周波数幅をもって該混合信号と分離装置の処理した混合変形信号を電源線に結合させ、そのうち、該信号混合と分離装置は上述の多種信号の混合と分離技術に基づきｍ個の音声信号を処理する。その受信側は信号混合と分離装置を具えて選択的にｍ個の音声信号の一つを送受するほか、該信号混合と分離装置の選択したｍ個の音声信号の一つを送受する電話子機と、特定の低周波数幅で該信号混合と分離装置の処理した混合変形信号を電源線に結合させるインタフェース回路を具え、そのうち該信号混合と分離装置は上述の多種信号の混合と分離技術に基づき、選択したｍ個の音声信号の一つを処理する。
【００２５】
図２は本発明の実施例の発射側信号混合と分離装置のブロック図である。発射側信号混合と分離装置はｍ個の信号変形装置と信号分離装置を具えてｍ個の音声信号を送受し、また発射側信号混合と分離装置は信号混合回路を具え、ｍ個の変形信号を混合総加し混合変形信号となす。該発射側信号混合と分離装置は積分器、微分器、乗算器、加減算器、Ａ／Ｄコンバータ、Ｄ／Ａコンバータ、演算増幅器とバッファ等を利用し上述の多種信号の混合と分離技術を実施する。
【００２６】
図３は本発明の実施例の受信側信号混合と分離装置のブロック図である。受信側信号混合と分離装置はｍ組の信号変形装置と信号分離装置を具え、ｍ個の音声信号を還元処理する。受信側信号混合と分離装置は更にセレクタを具え、該セレクタはｍ組の信号変形装置と信号分離装置の一つを選択し、選択した音声信号を電話回路と無線機回路を通して電話子機に伝送する。該受信側信号混合と分離装置は更に信号混合回路を具え、変形信号を混合して混合変形信号となす。該受信側信号混合と分離装置は積分器、微分器、乗算器、加減算器、Ａ／Ｄコンバータ、Ｄ／Ａコンバータ、演算増幅器とバッファ等を利用し上述の多種信号の混合と分離技術を実施する。
【００２７】
以上の実施例は本発明の実施範囲を限定するものではなく、本発明に基づきなしうる細部の修飾或いは改変は、いずれも本発明の請求範囲に属するものとする。
【図面の簡単な説明】
【００２８】
【図１】本発明の実施例の音声信号伝送の構造図である。
【図２】本発明の実施例の発射側信号混合と分離装置のブロック図である。
【図３】本発明の実施例の受信側信号混合と分離装置のブロック図である。
【符号の説明】
【００２９】
１１  発射側信号混合と分離装置
１２  発射側インタフェース回路
１３  受信側信号混合と分離装置
１４  受信側インタフェース回路
１５  電話子機
１６  電源線
１７  信号変形装置
１８  信号分離装置
１９  信号混合回路
２０  セレクタ
２１  電話回路
２２  無線機回路
【図１】
2006074480.tif 000015
【図２】
2006074480.tif 000016
【図３】
2006074480.tif 000017